(57)【特許請求の範囲】
【請求項１】
通話状態のモバイルデバイスが対象物から離れる第１の移動および前記モバイルデバイスが前記対象物へ近接する第２の移動を検出するように構成された検出ユニットと、
前記検出ユニットによる前記第１の移動の検出と前記第２の移動の検出との間の時間間隔を測定するように構成されたタイマーと、
前記第１の移動の検出と前記第２の移動の検出との間の前記時間間隔が所定の範囲内である場合、前記第１の移動および前記第２の移動が通信品質に関連すると決定するように構成された決定ユニットであって、前記所定の範囲は前記モバイルデバイスの使用パターンに基づいて調整される、決定ユニットと、
前記決定の結果に基づいてサービスプロバイダに通知を行うように構成された通知ユニットと
を備えるモバイルデバイス。
【請求項２】
近接センサをさらに備え、前記近接センサは、前記近接センサから前記対象物の距離を検出するように構成され、
前記検出ユニットは、前記近接センサの出力に基づいて前記第１および第２の移動を検出するようにさらに構成される、請求項１に記載のモバイルデバイス。
【請求項３】
前記検出ユニットは、前記近接センサの前記出力が第１の信号から第２の信号に変更されることを条件として用いて前記第１の移動を検出し、前記近接センサの前記出力が前記第２の信号から前記第１の信号に変更されることを条件として用いて前記第２の移動を検出するようにさらに構成され、
前記第１の信号は、前記対象物が前記近接センサから所定の距離内に位置する場合に前記近接センサから出力され、前記第２の信号は、前記対象物が前記所定の距離より長い距離だけ前記近接センサから離れている場合に前記近接センサから出力される、請求項２に記載のモバイルデバイス。
【請求項４】
前記モバイルデバイスの前記第１および第２の移動を検知して、前記モバイルデバイスの前記第１の移動および前記第２の移動にそれぞれ対応する第１の信号および第２の信号を出力するように構成されたモーションセンサをさらに備え、
前記検出ユニットは、前記第１の信号および前記第２の信号に基づいて前記第１の移動および前記第２の移動を検出するようにさらに構成される、請求項１に記載のモバイルデバイス。
【請求項５】
前記第１および第２の信号はベクトルであり、速度、加速度、角速度、および角加速度から成る群から選択される、請求項４に記載のモバイルデバイス。
【請求項６】
前記モバイルデバイスのユーザインターフェースを表示するように構成されたディスプレイをさらに備え、
前記ディスプレイは、前記検出ユニットによる前記第１の移動の検出または前記第２の移動の検出に基づいて、オンステータスまたはオフステータスに切り替えられ、
前記検出ユニットは、前記ディスプレイがオンステータスであるかオフステータスであるかに基づいて前記第１の移動および前記第２の移動を検出するようにさらに構成される、請求項１に記載のモバイルデバイス。
【請求項７】
前記検出ユニットは、前記ディスプレイの前記ステータスがオフステータスからオンステータスに変更される場合に前記第１の移動を検出し、前記ディスプレイの前記ステータスがオンステータスからオフステータスに変更される場合に前記第２の移動を検出するようにさらに構成される、請求項６に記載のモバイルデバイス。
【請求項８】
通話状態のモバイルデバイスの通信品質を測定するための方法であって、
前記モバイルデバイスが対象物から離れる第１の移動および前記モバイルデバイスが前記対象物へ近接する第２の移動を検出することと、
前記モバイルデバイスの前記第１の移動と前記モバイルデバイスの前記第２の移動の間の時間間隔を測定することと、
前記第１の移動の検出と前記第２の移動の検出との間の前記時間間隔が所定の範囲内である場合、前記第１の移動および前記第２の移動が通信品質に関連すると決定することと、
前記決定の結果に基づいてサービスプロバイダに通知を行うことと
を備える方法。
【請求項９】
前記所定の範囲は、前記モバイルデバイスの使用パターンに基づいて調整される、請求項８に記載の方法。
【請求項１０】
近接センサの出力を受信することをさらに備え、前記近接センサは、前記近接センサからの前記対象物の距離を検出するように構成されており、
前記モバイルデバイスの前記第１の移動を前記検出すること、および前記モバイルデバイスの前記第２の移動を前記検出することは、前記近接センサの前記出力に基づく、請求項８に記載の方法。
【請求項１１】
前記決定することは、前記近接センサの前記出力が第１の信号から第２の信号に変更され、次いで前記近接センサの前記出力が前記第２の信号から前記第１の信号に変更されること、および前記近接センサの前記出力の前記変更の間の第２の時間間隔が第２の所定の範囲内であることにさらに基づき、
前記第１の信号は前記対象物が前記近接センサから所定の距離範囲内に位置する場合に前記近接センサから出力され、前記第２の信号は、前記対象物が前記所定の距離より長い距離だけ前記近接センサから離れている場合に前記近接センサから出力される、請求項１０に記載の方法。
【請求項１２】
前記モバイルデバイスの移動を検知するように構成されたモーションセンサの出力を受信することをさらに備え、
前記モバイルデバイスの前記第１の移動を前記検出すること、および前記モバイルデバイスの前記第２の移動を前記検出することは、前記モーションセンサの前記出力に基づく、請求項８に記載の方法。
【請求項１３】
前記受信することは、前記第１の移動に対応する第１の信号および前記第２の移動に対応する第２の信号を受信することをさらに備え、前記第１および第２の信号はベクトルであって、速度、加速度、角速度、および角加速度から成る群から選択される、請求項１２に記載の方法。
【請求項１４】
前記決定することは、前記第１の信号および前記第２の信号の合計がほぼゼロであることにさらに基づく、請求項１３に記載の方法。
【請求項１５】
前記第１の移動の検出または前記第２の移動の検出に基づいて、前記モバイルデバイスのディスプレイのステータスをオンステータスまたはオフステータスに切り替えることをさらに備え、
前記決定することは、前記ディスプレイの前記ステータスがオフステータスからオンステータスに変更され、次いで前記ディスプレイの前記ステータスがオンステータスからオフステータスに変更されること、および前記ディスプレイの前記オン／オフステータスの前記変更の間の第２の時間間隔が第２の所定の範囲内であることにさらに基づく、請求項８に記載の方法。
【請求項１６】
非一時的コンピュータ可読ストレージ媒体のコンテンツが、プロセッサによって実行されるときに、前記プロセッサに、
通話状態のモバイルデバイスが対象物から離れる第１の移動を検出させ、
前記モバイルデバイスの前記対象物へ近接する第２の移動を検出させ、
前記モバイルデバイスの前記第１の移動の検出と前記第２の移動の検出との間の時間間隔を測定させ、
前記第１の移動の検出と前記第２の移動の検出との間の前記時間間隔が所定の範囲内である場合、前記第１の移動および前記第２の移動が通信品質に関連すると決定させ、
前記決定の結果に基づいてサービスプロバイダに通知を行わせる、非一時的コンピュータ可読ストレージ媒体。
【発明の詳細な説明】
【背景技術】
【０００１】
モバイルデバイスのユーザは、音声の切断を経験することが多く、これはモバイルサービスプロバイダにより提供される通信品質に関するユーザの不満をもたらす。この点に関して、ユーザの満足度を高めるため、サービスプロバイダは、信頼性の高い測度で体感品質（ＱｏＥ：ｑｕａｌｉｔｙ  ｏｆ  ｅｘｐｅｒｉｅｎｃｅ）を推定して、推定された体感品質（ＱｏＥ）に基づいてフォローアップアクションをとる必要がある。
【発明の概要】
【０００２】
１つの例において、モバイルデバイスは、モバイルデバイスの第１の移動およびモバイルデバイスの第２の移動を検出するように構成された検出ユニットと、検出ユニットにより検出された第１の移動と第２の移動の間の時間間隔を測定するように構成されたタイマーと、タイマーによって測定された時間間隔に基づいて、第１および第２の移動がモバイルデバイスの通信品質に関連するかどうかを決定するように構成された決定ユニットとを含むことができる。
【０００３】
１つの例において、モバイルデバイスの通信品質を測定するための方法は、モバイルデバイスの２つの連続する移動を検出することと、２つの連続する移動の時間間隔に基づいて、２つの連続する移動がモバイルデバイスの通信品質に関連するかどうかを決定することとを含むことができる。
【０００４】
１つの例において、コンピュータ可読ストレージ媒体のコンテンツが、プロセッサによって実行されるときに、プロセッサに、モバイルデバイスの２つの連続する移動を検出させ、２つの連続する移動の時間間隔に基づいて、２つの連続する移動が通信品質に関連するかどうかを決定させる。
【０００５】
前述の発明の概要は、例示的なものに過ぎず、限定的であることは全く意図されていない。上記で説明される例示的な態様、実施形態、および特徴に加えて、さらなる態様、実施形態、および特徴は、図面および後段の詳細な説明を参照することにより明らかとなろう。
【０００６】
本開示の前述およびその他の特徴は、付属の図面と併せて以下の説明と添付の特許請求の範囲を読めばさらに十分に明らかとなろう。それらの図面が本開示によるいくつかの実施形態を示すに過ぎず、それゆえにその範囲を限定するものと見なされるべきではないことを理解しつつ、本開示を添付の図面を使用することでさらに具体的かつ詳細に説明する。
【図面の簡単な説明】
【０００７】
【図１Ａ】モバイルデバイスの位置であって、その変更がモバイルデバイスの通信品質を測定するために採用される位置の具体的な例を示す図である。
【図１Ｂ】モバイルデバイスの位置であって、その変更がモバイルデバイスの通信品質を測定するために採用される位置の具体的な例を示す図である。
【図２】モバイルデバイスの具体的な例を示す概略ブロック図である。
【図３】モバイルデバイスの別の具体的な例を示す概略ブロック図である。
【図４】モバイルデバイスの通信品質を測定するための方法を示す例示の流れ図である。
【発明を実施するための形態】
【０００８】
以下の詳細な説明において、本明細書の一部を形成する付属の図面が参照される。図面において、文脈に特に指示がない限り、類似する符号は概して、類似するコンポーネントを識別する。発明を実施するための形態、図面、および特許請求の範囲において説明される例示的な実施形態は、限定的であることを意図されていない。本明細書において提示される主題の精神または範囲を逸脱することなく、その他の実施形態が使用されてもよく、その他の変更が行われてもよい。本明細書において概ね説明され、図面に示される本開示の態様が、多岐にわたるさまざまな構成において配置され、代替され、組み合わされ、分離され、設計されてもよく、それらすべてが本明細書において明示的に検討されることは容易に理解されよう。
【０００９】
本開示は、とりわけ、通信システムの体感品質を測定することに関連する方法、装置、システム、デバイス、およびコンピュータプログラム製品を概ね対象とする。
【００１０】
簡潔に述べると、モバイルデバイスの通信品質を測定するための技術が概ね説明される。一部の例において、モバイルデバイスの２つの連続する移動が検出され、２つの連続する移動の間の時間間隔に基づいて、２つの連続する移動がモバイルデバイスの通信品質に関連するかどうかが決定される。
【００１１】
図１Ａおよび図１Ｂは、モバイルデバイス１００の位置の具体的な例を示し、その位置の変更が、モバイルデバイス１００の通信品質を測定するために採用される。モバイルデバイス１００のユーザ１１０に電話がかかってくると、モバイルデバイス１００は、図１Ａに示されるように、ユーザ１１０の耳元に近接して配置されてもよい。通話中に、ユーザ１１０が通話の相手方の声をよく聞きとれない場合（すなわち、通信品質が劣っている場合）、ユーザ１１０は、通話が切断されているかどうか、またはモバイルデバイス１００が通信圏外にあるかどうかを確認することもできる。そのような場合、ユーザ１１０は、モバイルデバイス１００を自分の耳元から離し、図１Ｂに示されるように、モバイルデバイス１００の表示画面を見ようとモバイルデバイス１００を自分の胸元に近づけることができる。ユーザ１１０は、通話の接続性を確認するか、またはモバイルデバイス１００の表示画面に表示されているアンテナインジケータを見ることにより、通信品質を確認しようと試みることもできる。通信品質を確認した後、ユーザ１１０は、通話が失われていない限り、図１Ａに示されるように、モバイルデバイス１００を元の位置に戻すことができる。モバイルデバイス１００のそのような移動、すなわち、ユーザ１１０の耳元に近接した位置からユーザ１１０の胸元に近接した位置への（すなわち図１Ａの位置から図１Ｂの位置への）モバイルデバイス１００の第１の移動、および胸元に近接した位置から耳元に近接した位置への（すなわち図１Ｂの位置から図１Ａの位置への）モバイルデバイス１００の第２の移動は、モバイルデバイス１００の体感品質（ＱｏＥ）を推定するための測度となってもよい。
【００１２】
一部の実施形態において、モバイルデバイス１００の第１および第２の移動が、第１および第２の移動の間の時間間隔に基づいて、モバイルデバイス１００の通信品質に関連するかどうかが決定されてもよい。一部の実施形態において、第１および第２の移動の間の時間間隔が所定の範囲内である場合、第１および第２の移動が通信品質に関連すると決定されてもよい。
【００１３】
限定的ではなく、一例として、第１および第２の移動の間の時間間隔が第１の時間しきい値よりも短い場合、ユーザが、通信品質を確認するつもりではなく、姿勢を変えるか、またはモバイルデバイスを一方の耳元からもう一方の耳元に移そうとしてモバイルデバイスを移動することが想定されてもよい。また、限定的ではなく、一例として、第１および第２の移動の間の時間間隔が、第１の時間しきい値よりも長い第２の時間しきい値よりも長い場合、ユーザが、通信品質を確認するつもりではなく、（たとえば、メモを書き留めるかまたは特定のボタンを押すなど）接続性には関連しない他の機能を実行しようとしてモバイルデバイスを移動することが想定されてもよい。一部の実施形態において、モバイルデバイスがユーザの耳元に近接して位置せず、接続性に関連しないボタン（たとえば、「送信」、「電話」、または「終了」ボタン以外のボタン）が押される場合、そのような事例は体感品質（ＱｏＥ）を推定するために除外されてもよい。
【００１４】
図２は、モバイルデバイスの具体的な例の概略ブロック図を示す。図２に示される例は、モバイルデバイスの移動を検出するための近接センサを使用することができる。
【００１５】
図２を参照すると、モバイルデバイス２００は、近接センサ２１０を含むことができる。近接センサ２１０は、近接センサ２１０からの対象物の距離を検出し、検出された距離がしきい値距離内である場合に第１の信号を出力し、検出された距離がしきい値距離よりも長い場合に第２の信号を出力することができる。限定的ではなく一例として、第１の信号は２進値「１」を表すことができ、第２の信号は２進値「０」を表すことができる。
【００１６】
一部の実施形態において、近接センサ２１０からの信号出力は、モバイルデバイス２００がモバイルデバイス２００のユーザの耳元から離れて、ユーザの胸元に近づくとき、第１の信号から第２の信号に変更されてもよい。同様に、近接センサ２１０からの信号出力は、モバイルデバイス２００が胸元から耳元に移動するとき、第２の信号から第１の信号に変更されてもよい。限定的ではなく一例として、近接センサ２１０は、容量性センサ、誘導性センサ、および磁気センサから成る群から選択される少なくとも１つを含むことができる。
【００１７】
モバイルデバイス２００は、検出ユニット２２０をさらに含むことができる。検出ユニット２２０は、近接センサ２１０からの信号出力を受信し、近接センサ２１０の出力に基づいてモバイルデバイス２００の移動を検出することができる。限定的ではなく一例として、検出ユニット２２０は、近接センサ２１０の出力が第１の信号から第２の信号に変更されるとき、モバイルデバイス２００の第１の移動（たとえば、耳元から胸元への移動）を検出することができる。同様に、検出ユニット２１０は、近接センサ２１０の出力が第２の信号から第１の信号に変更されるとき、モバイルデバイス２００の第２の移動（たとえば、胸元から耳元への移動）を検出することができる。
【００１８】
モバイルデバイス２００は、タイマー２３０をさらに含むことができる。タイマー２３０は、検出ユニット２２０により検出された第１の移動と第２の移動の間の時間間隔を測定することができる。限定的ではなく一例として、タイマー２３０は、検出ユニット２２０がモバイルデバイス２００の第１の移動を検出すると開始して、検出ユニット２２０がモバイルデバイス２００の第２の移動を検出すると停止することができる。その後、タイマー２３０は、第１の移動と第２の移動の間の時間間隔を計算することができる。
【００１９】
モバイルデバイス２００は、決定ユニット２４０をさらに含むことができる。決定ユニット２４０は、タイマー２３０によって測定された時間間隔に基づいて、第１および第２の移動がモバイルデバイス２００の通信品質に関連するかどうかを決定することができる。一部の実施形態において、決定ユニット２４０は、時間間隔が所定の時間範囲内である場合、第１および第２の移動が通信品質に関連すると決定することができる。限定的ではなく一例として、所定の時間範囲は、第１および第２の移動が通信品質を確認するためのユーザアクションに関連していない場合を除外するように設定されてもよい。限定的ではなく一例として、タイマー２３０によって測定された時間間隔が、たとえば０．４秒のような、第１の時間しきい値よりも短い場合、第１および第２の移動は、接続性を確認するためのユーザアクションに関連しているのではなく、姿勢を変えるか、または一方の耳元からもう一方の耳元にモバイルデバイス２００を移すためのユーザアクションに関連しているものと見なされてもよい。限定的ではなく、一例として、タイマー２３０によって測定された時間間隔が、第１の時間しきい値よりも長い第２の時間しきい値よりも長い場合に、第１および第２の移動は、接続性を確認するためのユーザアクションに関連しているのではなく、（たとえば、メモを書き留めるかまたは特定のボタンを押すなど）接続性には関連しない他の機能を実行するためのユーザアクションに関連しているものと見なされてもよい。
【００２０】
一部の実施形態において、所定の範囲は、モバイルデバイス２００の使用パターンに基づいて調整されてもよい。限定的ではなく、一例として、モバイルデバイス２００の使用パターンは、モバイルデバイス２００、またはモバイル通信サービスをモバイルデバイス２００に提供するモバイルサービスプロバイダによって収集された統計情報であってもよい。
【００２１】
限定的ではなく、一例として、モバイルデバイス２００は、送受信機（図示せず）をさらに含むことができる。送受信機は、決定ユニット２４０の出力をモバイルサービスプロバイダに送信することができる。すなわち、送受信機は、モバイルデバイス２００の通信品質に関連付けられているユーザアクションがあるかどうかを報告することができる。限定的ではなく、一例として、送受信機はまた、モバイルデバイス２００の使用パターンに関する統計情報をモバイルサービスプロバイダに送信することもできる。
【００２２】
一部の実施形態において、モバイルデバイス２００は、モバイルデバイス２００のユーザインターフェースを表示するためのディスプレイ２５０をさらに含むことができる。限定的ではなく、一例として、ディスプレイ２５０は、近接センサ２１０によって検出された距離がしきい値距離内である場合、すなわち対象物が近接センサ２１０からしきい値距離内に位置している場合、消費電力を低減するように、オフステータスにあってもよい。限定的ではなく、一例として、ディスプレイ２５０は、近接センサ２１０によって検出された距離がしきい値距離よりも長い場合、すなわち対象物がしきい値距離よりも長い距離だけ近接センサ２１０から離れている場合、オンステータスにあってもよい。一部の実施形態において、ディスプレイ２５０は、近接センサ２１０からの出力が第１の信号から第２の信号に変更される場合、すなわち、モバイルデバイス２００がユーザの耳元から離れて、ユーザの胸元に近づく場合、オフに切り替えられてもよい。同様に、ディスプレイ２５０は、近接センサ２１０からの出力が第２の信号から第１の信号に変更される場合、すなわち、モバイルデバイス２００が胸元から耳元に移動する場合、オンに切り替えられてもよい。そのような場合、検出ユニット２２０は、近接センサ２１０からの信号出力ではなく、ディスプレイ２５０のオン／オフステータスに基づいて、第１の移動および第２の移動を検出することができる。限定的ではなく、一例として、検出ユニット２２０は、ディスプレイ２５０のステータスがオフステータスからオンステータスに変更される場合、第１の移動を検出することができる。同様に、検出ユニット２２０は、ディスプレイ２５０のステータスがオンステータスからオフステータスに変更される場合、第２の移動を検出することができる。
【００２３】
図３は、モバイルデバイスの別の具体的な例の概略ブロック図を示す。図３に示される例は、モバイルデバイスの移動を検出するためのモーションセンサを使用することができる。
【００２４】
図３を参照すると、モバイルデバイス３００は、モーションセンサ３１０を含むことができる。モーションセンサ３１０は、モバイルデバイス３００の移動を検知して、モバイルデバイス３００の移動に対応する信号を出力することができる。モーションセンサ３１０からの信号出力は、ベクトル値であってもよい。限定的ではなく、一例として、ベクトル値は、速度、加速度、角速度、角加速度、およびそれらの任意の組み合わせから成る群から選択されてもよい。一部の実施形態において、モーションセンサ３１０は、モバイルデバイス３００の第１の移動に対応する第１の信号、およびモバイルデバイス３００の第２の移動に対応する第２の信号を出力することができる。一部の実施形態において、第１の移動が、モバイルデバイス３００がモバイルデバイス３００のユーザの耳元から離れてユーザの胸元に近づく事例に対応し、第２の移動が、モバイルデバイス３００が胸元から耳元へ移動する事例に対応する場合、第１の信号と第２の信号の合計はほぼゼロであってもよい。
【００２５】
モバイルデバイス３００は、検出ユニット３２０をさらに含むことができる。検出ユニット３２０は、モーションセンサ３１０からの信号出力を受信し、モーションセンサ３１０の出力に基づいてモバイルデバイス３００の移動を検出することができる。
【００２６】
モバイルデバイス３００は、タイマー３３０をさらに含むことができる。タイマー３３０は、検出ユニット３２０により検出された第１の移動と第２の移動の間の時間間隔を測定することができる。限定的ではなく、一例として、タイマー３３０は、検出ユニット３２０がモバイルデバイス３００の第１の移動を検出すると開始して、検出ユニット３２０がモバイルデバイス３００の第２の移動を検出すると停止することができる。その後、タイマー３３０は、第１の移動と第２の移動の間の時間間隔を計算することができる。
【００２７】
モバイルデバイス３００は、決定ユニット３４０をさらに含むことができる。決定ユニット３４０は、モーションセンサ３１０からの信号出力およびタイマー３３０によって測定された時間間隔に基づいて、第１および第２の移動がモバイルデバイス３００の通信品質に関連するかどうかを決定することができる。一部の実施形態において、決定ユニット３４０は、第１の信号および第２の信号の合計がほぼゼロである場合、および時間間隔が所定の範囲内である場合、第１および第２の移動が通信品質に関連すると決定することができる。一部の実施形態において、所定の範囲は、第１および第２の移動が、通信品質を確認するためのユーザアクションに関連していない事例を除外するように設定されてもよい。限定的ではなく、一例として、タイマー３３０によって測定された時間間隔が、第１の時間しきい値よりも短い場合、第１および第２の移動は、接続性を確認するためのユーザアクションに関連しているのではなく、姿勢を変えるか、または一方の耳元からもう一方の耳元にモバイルデバイス３００を移すためのユーザアクションに関連しているものと見なされてもよい。限定的ではなく、一例として、タイマー３３０によって測定された時間間隔が、第１の時間しきい値よりも長い第２の時間しきい値よりも長い場合、第１および第２の移動は、接続性を確認するためのユーザアクションに関連しているのではなく、（たとえば、メモを書き留めるかまたは特定のボタンを押すなど）接続性には関連しない他の機能を実行するためのユーザアクションに関連しているものと見なされてもよい。
【００２８】
一部の実施形態において、所定の範囲は、モバイルデバイス３００の使用パターンに基づいて調整されてもよい。限定的ではなく、一例として、モバイルデバイス３００の使用パターンは、モバイルデバイス３００、またはモバイル通信サービスをモバイルデバイス３００に提供するモバイルサービスプロバイダによって収集された統計情報であってもよい。
【００２９】
限定的ではなく、一例として、モバイルデバイス３００は、送受信機（図示せず）をさらに含むことができる。送受信機は、決定ユニット３４０の出力をモバイルサービスプロバイダに送信することができる。すなわち、送受信機は、モバイルデバイス３００の通信品質に関連付けられているユーザアクションがあるかどうかを報告することができる。限定的ではなく、一例として、送受信機はまた、モバイルデバイス３００の使用パターンに関する統計情報をモバイルサービスプロバイダに送信することもできる。
【００３０】
図４は、モバイルデバイスの通信品質を測定するための方法の例示の流れ図を示す。図４の方法は、たとえば、上記で説明されるモバイルデバイスを使用して実施されてもよい。例示の方法は、ブロックＳ４００、Ｓ４１０、Ｓ４２０、Ｓ４３０、Ｓ４４０、Ｓ４５０、および／またはＳ４６０の１つまたは複数によって示される１つまたは複数の操作、アクション、または機能を含むことができる。別個のブロックとして示されているが、さまざまなブロックは、望ましい実装形態に応じて、追加のブロックに分割されてもよいか、より少ないブロックに結合されてもよいか、または除去されてもよい。
【００３１】
ブロックＳ４００において、モバイルデバイスは、モバイルデバイスの移動の検出を開始することができる。限定的ではなく、一例として、検出ユニットは、モバイルデバイスの移動を検出することができる。
【００３２】
一部の実施形態において、検出ユニットは、モバイルデバイスに含まれる近接センサの出力に基づいて、モバイルデバイスの移動を検出することができる。限定的ではなく、一例として、検出ユニットは、近接センサの出力が、対象物が近接センサから所定の距離内に位置するステータスに対応する第１の信号から、対象物が所定の距離より長い距離だけ近接センサから離れているステータスに対応する第２の信号に変更された場合、または第２の信号から第１の信号に変更された場合、モバイルデバイスの移動を検出することができる。
【００３３】
代替的な実施形態において、検出ユニットは、モバイルデバイスに含まれるディスプレイのオン／オフステータスに基づいて、モバイルデバイスの移動を検出することができる。限定的ではなく、一例として、検出ユニットは、ディスプレイのステータスがオフステータスからオンステータスに変更されるか、またはオンステータスからオフステータスに変更される場合、モバイルデバイスの移動を検出することができる。
【００３４】
さらなる代替的な実施形態において、検出ユニットは、モバイルデバイスに含まれるモーションセンサの出力に基づいて、モバイルデバイスの移動を検出することができる。
【００３５】
再び図４を参照すると、モバイルデバイスがモバイルデバイスの第１の移動を検出する場合（ブロックＳ４１０）、モバイルデバイスに含まれるタイマーは開始することができる（ブロックＳ４２０）。次いで、モバイルデバイスが、第１の移動の後に連続するモバイルデバイスの第２の移動を検出する場合（ブロックＳ４３０）、タイマーは停止して、第１の移動と第２の移動の間の時間間隔を測定することができる（ブロックＳ４４０）。
【００３６】
ブロックＳ４５０において、モバイルデバイスは、第１および第２の移動がモバイルデバイスの通信品質に関連するかどうかを決定することができる。限定的ではなく、一例として、モバイルデバイスに含まれる決定ユニットは、第１および第２の移動がモバイルデバイスの通信品質に関連するかどうかを決定することができる。
【００３７】
一部の実施形態において、決定ユニットは、近接センサの出力、および第１および第２の移動の間の時間間隔に基づいて、第１および第２の移動が通信品質に関連するかどうかを決定することができる。限定的ではなく、一例として、近接センサの出力が、対象物が近接センサから所定の距離内に位置するステータスに対応する第１の信号から、対象物が所定の距離より長い距離だけ近接センサから離れているステータスに対応する第２の信号に変更されるときに第１の移動が検出され、次いで近接センサの出力が第２の信号から第１の信号に変更されるときに第２の移動が検出される場合、および第１の移動と第２の移動の間の時間間隔が所定の範囲内である場合に、決定ユニットは、第１および第２の移動が通信品質に関連すると決定することができる。
【００３８】
代替的な実施形態において、決定ユニットは、ディスプレイのオン／オフステータス、および第１および第２の移動の間の時間間隔に基づいて、第１および第２の移動が通信品質に関連するかどうかを決定することができる。限定的ではなく、一例として、決定ユニットは、ディスプレイのステータスがオフステータスからオンステータスに変更されるときに第１の移動が検出され、次いでディスプレイのステータスがオンステータスからオフステータスに変更されるときに第２の移動が検出される場合、およびディスプレイのオン／オフステータスの変更の間の時間間隔が所定の範囲内である場合に、第１および第２の移動が通信品質に関連すると決定することができる。
【００３９】
さらなる代替的な実施形態において、決定ユニットは、モーションセンサの出力、および第１および第２の移動の間の時間間隔に基づいて、第１および第２の移動が通信品質に関連するかどうかを決定することができる。限定的ではなく、一例として、決定ユニットは、第１の移動に対応するモーションセンサからの第１の信号出力と、第２の移動に対応するモーションセンサからの第２の信号出力の合計がほぼゼロである場合、および第１および第２の移動の間の時間間隔が所定の範囲内である場合、第１および第２の移動が通信品質に関連すると決定することができる。限定的ではなく、一例として、モーションセンサからの第１および第２の信号出力は、モバイルデバイスの速度、モバイルデバイスの加速度、モバイルデバイスの角速度、モバイルデバイスの角加速度、およびそれらの任意の組み合わせから成る群から選択されてもよい。
【００４０】
一部の実施形態において、モバイルデバイスが、ブロックＳ４５０において、第１および第２の移動が通信品質に関連しないと決定する場合、プロセスは再度、ブロックＳ４００を続行することができる。一部の実施形態において、モバイルデバイスが、第１および第２の移動が通信品質に関連すると決定する場合、モバイルデバイスは、モバイル通信サービスをモバイルデバイスに提供するモバイルサービスプロバイダに、決定の結果を報告すること、すなわちモバイルデバイスの通信品質に関連付けられているユーザアクションがあることを指示する通知を送信することができ（ブロックＳ４６０）、次いでプロセスは再度、ブロックＳ４００を続行することができる。一部の実施形態において、モバイルデバイスは、モバイルデバイスの使用パターンに関する情報を、モバイルサービスプロバイダにさらに提供することができる。図４には、モバイルデバイスの通信品質に関連付けられているユーザアクションが発生すると毎回、モバイルデバイスが決定の結果を報告することが示されるが、当業者であれば、モバイルデバイスが特定の期間にわたり決定の結果を収集してから、収集した結果を一度に報告することができることを理解するであろう。
【００４１】
一部の実施形態において、モバイルサービスプロバイダは、モバイルデバイスからの通知を、モバイルデバイスの体感品質（ＱｏＥ）の測度と見なして、受信した通知に基づいてフォローアップアクションをとることができる。限定的ではなく、一例として、モバイルサービスプロバイダは、たとえば、別の基地局がモバイルデバイスに通信カバレッジを提供するようにさせるなど、モバイルデバイスのために即時アクションをとることができる。限定的ではなく、一例として、モバイルサービスプロバイダは、モバイルデバイスからの通知を収集して、長期体感品質（ＱｏＥ）を推定し、推定された長期体感品質（ＱｏＥ）に基づいてユーザの満足度を高めるためのアクションをとることができる。
【００４２】
一部の実施形態において、モバイルサービスプロバイダは、モバイルデバイスの移動が通信品質に関連するかどうか決定するときに第１および第２の移動の間の時間間隔と比較されるべき時間範囲をモバイルデバイスが調整することができるように、モバイルデバイスの使用パターンに関する受信した情報に基づいて、モバイルデバイスにフィードバックを提供することができる。
【００４３】
本明細書において開示されるこのプロセスおよび方法ならびに他のプロセスおよび方法について、プロセスおよび方法で実行される機能が異なる順序で実施されてもよいことを、当業者であれば理解するであろう。さらに、概説されるステップおよび操作は例として示されているに過ぎず、ステップおよび操作の一部は、開示される実施形態の本質を損なうことなく、任意選択であるか、より少ないステップおよび操作に結合されてもよいか、または追加のステップおよび操作に拡大されてもよい。
【００４４】
本開示は、本出願において説明される特定の実施形態に関して限定されるべきではなく、実施形態はさまざまな態様を例示することを目的としている。当業者には明らかであるように、その精神および範囲を逸脱することなく多くの変更および変形が行われてもよい。本明細書において列挙される方法および装置に加えて、本開示の範囲内の機能的に等価の方法および装置が、上記の説明から当業者には明らかとなるであろう。そのような変更および変形は、添付の特許請求の範囲内に含まれることが意図される。本開示は、添付の特許請求の範囲の条項、ならびにそのような特許請求の範囲が権利を有する均等物の全範囲によってのみ限定されるものとする。本開示が、当然変化し得るものである特定の方法、試薬、化合物組成、または生態系に限定されないことを理解されたい。また、本明細書において使用される用語が、特定の実施形態を説明することのみを目的としており、限定的であることは意図されていないことも理解されたい。
【００４５】
例示的な実施形態において、本明細書において説明される操作、プロセスなどはいずれも、コンピュータ可読媒体に格納されたコンピュータ可読命令として実施されてもよい。コンピュータ可読命令は、モバイルユニット、ネットワーク要素、および／またはその他のコンピューティングデバイスのプロセッサによって実行されてもよい。
【００４６】
システムの側面でのハードウェアの実装形態とソフトウェアの実装形態との間には、ほとんど相違が残されていない。ハードウェアまたはソフトウェアの使用は、一般に（いつもそうではないが、ある状況ではハードウェアとソフトウェアの間の選択が重要になり得るという点で）コスト対効果のトレードオフを表す設計上の選択である。本明細書に記載された、プロセスおよび／またはシステムおよび／または他の技術をもたらすことができるさまざまな達成手段があり（たとえば、ハードウェア、ソフトウェア、および／またはファームウェア）、好ましい達成手段は、プロセスおよび／またはシステムおよび／または他の技術が導入される状況によって異なる。たとえば、実装者が速度と正確性が最も重要であると決定すると、実装者は主にハードウェアおよび／またはファームウェアの達成手段を選択することができる。フレキシビリティが最も重要なら、実装者は主にソフトウェアの実装形態を選択することができる。または、さらに別の代替案として、実装者は、ハードウェア、ソフトウェア、および／またはファームウェアのなんらかの組み合わせを選択することができる。
【００４７】
前述の詳細な説明では、ブロック図、フローチャート、および／または例の使用によって、装置および／またはプロセスのさまざまな実施形態を説明してきた。そのようなブロック図、フローチャート、および／または例が１つまたは複数の機能および／または動作を含む限りにおいて、そのようなブロック図、フローチャート、または例の中のそれぞれの機能および／または動作は、広範囲のハードウェア、ソフトウェア、ファームウェア、または実質上それらのすべての組み合わせにより、個別におよび／または集合的に実装可能であることが、当業者には理解されるであろう。ある実施形態では、本明細書に記載された主題のいくつかの部分は、特定用途向け集積回路（ＡＳＩＣ）、フィールドプログラマブルゲートアレイ（ＦＰＧＡ）、デジタルシグナルプロセッサ（ＤＳＰ）、または他の集積化方式によって実装することができる。しかし、本明細書で開示された実施形態のいくつかの態様が、全体においてまたは一部において、１つまたは複数のコンピュータ上で動作する１つまたは複数のコンピュータプログラムとして（たとえば、１つまたは複数のコンピュータシステム上で動作する１つまたは複数のプログラムとして）、１つまたは複数のプロセッサ上で動作する１つまたは複数のプログラムとして（たとえば、１つまたは複数のマイクロプロセッサ上で動作する１つまたは複数のプログラムとして）、ファームウェアとして、あるいは実質上それらの任意の組み合わせとして、等価に集積回路に実装することができることを、当業者は認識するであろうし、電気回路の設計ならびに／またはソフトウェアおよび／もしくはファームウェアのコーディングが、本開示に照らして十分当業者の技能の範囲内であることを、当業者は認識するであろう。さらに、本明細書に記載された主題のメカニズムをさまざまな形式のプログラム製品として配布することができることを、当業者は理解するであろうし、本明細書に記載された主題の例示的な実施形態が、実際に配布を実行するために使用される信号伝達媒体の特定のタイプにかかわらず適用されることを、当業者は理解するであろう。信号伝達媒体の例には、フロッピー（登録商標）ディスク、ハードディスクドライブ、ＣＤ、ＤＶＤ、デジタルテープ、コンピュータメモリ、などの記録可能なタイプの媒体、ならびに、デジタル通信媒体および／またはアナログ通信媒体（たとえば、光ファイバケーブル、導波管、有線通信リンク、無線通信リンクなど）の通信タイプの媒体が含まれるが、それらには限定されない。
【００４８】
本明細書で説明したやり方で装置および／またはプロセスを記載し、その後そのように記載された装置および／またはプロセスを、データ処理システムに統合するためにエンジニアリング方式を使用することは、当技術分野で一般的であることを当業者は認識するであろう。すなわち、本明細書に記載された装置および／またはプロセスの少なくとも一部を、妥当な数の実験によってデータ処理システムに統合することができる。通常のデータ処理システムは、一般に、システムユニットハウジング、ビデオディスプレイ装置、揮発性メモリおよび不揮発性メモリなどのメモリ、マイクロプロセッサおよびデジタル信号プロセッサなどのプロセッサ、オペレーティングシステムなどの計算実体、ドライバ、グラフィカルユーザインターフェース、およびアプリケーションプログラムのうちの１つもしくは複数、タッチパッドもしくはスクリーンなどの１つもしくは複数の相互作用装置、ならびに／またはフィードバックループおよびコントロールモータを含むコントロールシステム（たとえば、位置検知用および／もしくは速度検知用フィードバック、コンポーネントの移動用および／もしくは数量の調整用コントロールモータ）を含むことを、当業者は理解するであろう。通常のデータ処理システムは、データコンピューティング／通信システムおよび／またはネットワークコンピューティング／通信システムの中に通常見られるコンポーネントなどの、市販の適切なコンポーネントを利用して実装することができる。
【００４９】
本明細書に記載された主題は、さまざまなコンポーネントをしばしば例示しており、これらのコンポーネントは、他のさまざまなコンポーネントに包含されるか、または他のさまざまなコンポーネントに接続される。そのように図示されたアーキテクチャは、単なる例に過ぎず、実際には、同じ機能を実現する多くの他のアーキテクチャが実装可能であることが理解されよう。概念的な意味で、同じ機能を実現するコンポーネントの任意の構成は、所望の機能が実現されるように効果的に「関連付け」される。したがって、特定の機能を実現するために組み合わされた、本明細書における任意の２つのコンポーネントは、アーキテクチャまたは中間のコンポーネントにかかわらず、所望の機能が実現されるように、お互いに「関連付け」されていると見ることができる。同様に、そのように関連付けされた任意の２つのコンポーネントは、所望の機能を実現するために、互いに「動作可能に接続」または「動作可能に結合」されていると見なすこともでき、そのように関連付け可能な任意の２つのコンポーネントは、所望の機能を実現するために、互いに「動作可能に結合できる」と見なすこともできる。動作可能に結合できる場合の具体例には、物理的にかみ合わせ可能な、および／もしくは物理的に相互作用するコンポーネント、ならびに／またはワイヤレスに相互作用可能な、および／もしくはワイヤレスに相互作用するコンポーネント、ならびに／または論理的に相互作用する、および／もしくは論理的に相互作用可能なコンポーネントが含まれるが、それらに限定されない。
【００５０】
本明細書における実質的にすべての複数形および／または単数形の用語の使用に対して、当業者は、状況および／または用途に適切なように、複数形から単数形に、および／または単数形から複数形に変換することができる。さまざまな単数形／複数形の置き換えは、理解しやすいように、本明細書で明確に説明することができる。
【００５１】
通常、本明細書において、特に添付の特許請求の範囲（たとえば、添付の特許請求の範囲の本体部）において使用される用語は、全体を通じて「オープンな（ｏｐｅｎ）」用語として意図されていることが、当業者には理解されよう（たとえば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。たとえば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む実施形態に限定する、ということを示唆していると解釈されるべきではない（たとえば、「ａ」および／または「ａｎ」は、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されよう（たとえば、他の修飾語なしでの「２つの記載（ｔｗｏ  ｒｅｃｉｔａｔｉｏｎｓ）」の単なる記載は、少なくとも２つの記載、または２つ以上の記載を意味する）。さらに、「Ａ、ＢおよびＣ、などの少なくとも１つ」に類似の慣例表現が使用されている事例では、通常、そのような構文は、当業者がその慣例表現を理解するであろう意味で意図されている（たとえば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（たとえば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステ���を含むが、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。たとえば、句「ＡまたはＢ」は、「Ａ」または「Ｂ」あるいは「ＡおよびＢ」の可能性を含むことが理解されよう。
【００５２】
加えて、本開示の特徴または態様がマーカッシュ形式のグループに関して説明される場合、それにより本開示はまた、マーカッシュ形式のグループの構成要素の任意の個々の構成要素または構成要素のサブグループに関しても説明されることを、当業者であれば理解するであろう。
【００５３】
書面による説明を行うことに関してなど、任意およびすべての目的のため、当業者によって理解されるであろうように、本明細書において開示されるあらゆる範囲はまた、任意およびすべての可能な下位範囲およびその下位範囲の組み合わせを網羅する。任意の一覧される範囲は、同範囲が少なくとも等価の２分の１、３分の１、４分の１、５分の１、１０分の１などに分割されることを十分に説明および可能にするものと容易に理解されてもよい。非限定的な例として、本明細書において説明される各範囲は、下３分の１、中３分の１、および上３分の１などに容易に分解されてもよい。さらに当業者によって理解されるであろうように、「最大（ｕｐ  ｔｏ）」、「少なくとも（ａｔ  ｌｅａｓｔ）」などのようなすべての表現は、列挙される数を含み、引き続き上記で説明されている下位範囲に分解されてもよい範囲を示す。最後に、当業者に理解されるであろうように、範囲は各々個別の構成要素を含む。したがって、たとえば、１〜３のセルを有するグループは、１、２、または３のセルを有するグループと称される。同様に、１〜５のセルを有するグループは、１、２、３、４、または５のセルを有するグループと称され、以下同様である。
【００５４】
前述の説明から、本開示のさまざまな実施形態が、例示を目的として本明細書において説明されており、本開示の範囲および精神を逸脱することなくさまざまな変更が行われてもよいことが理解されよう。したがって、本明細書において開示されるさまざまな実施形態は、限定的であることを意図されておらず、真の範囲および精神は添付の特許請求の範囲により示される。
【図１Ａ】
0005568193.tif 000002
【図１Ｂ】
0005568193.tif 000003
【図２】
0005568193.tif 000004
【図３】
0005568193.tif 000005
【図４】
0005568193.tif 000006